(57)【特許請求の範囲】
【請求項１】
装置本体の前面に固定される操作パネルに媒体排出操作用の操作ボタンを進退自在に装着してなり、
前記操作パネルには、操作ボタンの進退動をガイドするガイド部が形成され、
操作パネルまたは操作ボタンのいずれか一方には操作ボタンの進退方向に弾性変形可能な弾性脚が形成されるとともに、他方には前記弾性脚の自由端近傍に開設された嵌合孔に遊嵌する突起が設けられ、
前記弾性脚の弾性復元力により操作ボタンを復帰位置へ移動させる記憶装置であって、
前記弾性脚は突起の突出方向に弾性変形可能であり、
突起は操作ボタンのガイド部への押し込みにより弾性脚を弾性変形させた後、嵌合孔に遊嵌可能で、
かつ、前記弾性脚は、操作パネルの壁面に形成される記憶装置。
【請求項２】
前記弾性脚は浮島状に形成される請求項１記載の記憶装置。
【請求項３】
前記操作ボタンは透明材料で形成され、媒体アクセス状態を表示する発光素子からの発光を導光する請求項１または２記載の記憶装置。
【請求項４】
前記操作ボタンの前面には光散乱面が形成される請求項３記載の記憶装置。
【発明の詳細な説明】
【０００１】
【発明が属する技術分野】
本発明は光ディスク装置やカートリッジ式テープ装置等の記憶装置に関するものである。
【０００２】
【従来の技術】
光ディスク装置等の記憶装置の従来例を図５、６に示す。この従来例において光ディスク装置は光ヘッド等の光学素子を搭載したディスク本体１の前面に操作パネル２を固定して形成される。操作パネル２には媒体の挿入口２１が開設されており、該挿入口２１の近傍に媒体の取り出しを行うための操作ボタン３と、ディスクのアクセス状態を表示するための発光部２２が設けられる。
【０００３】
以上の構成の下、挿入口２１から挿入された光磁気ディスク等の記憶媒体へのアクセス状態は本体部内に配置された発光素子６の発光を導光する透明の発光部２２の点滅により知ることができ、さらに、操作ボタン３を押し込む込むことにより、本体部内に配置されたイジェクトスイッチ１０を動作させて記憶媒体の排出がなされる。
【０００４】
【発明が解決しようとする課題】
しかし、上述した従来例において、操作ボタン３は押し込み操作の後に原位置に復帰させる必要があり、そのために、図６（ｂ）に示すように、操作ボタン３には弾性脚４が形成され、該弾性脚４を操作パネル２の内壁に熱溶着する必要があるために、組み立て作業性が悪いという欠点を有する。
【０００５】
さらに、発光部２２は操作ボタン３と別体で形成され、別途上述した操作ボタン３と同様に操作パネル２の内壁に熱溶着されるために、部品点数が多くなり、かつ、組み立て作業性も悪いという欠点を有する。
【０００６】
本発明は以上の欠点を解消すべくなされたもので、組み立て作業性が良好な記憶装置の提供を目的とする。
【０００７】
【課題を解決するための手段】
本発明によれば上記目的は、
装置本体１の前面に固定される操作パネル２に媒体排出操作用の操作ボタン３を進退自在に装着してなり、
前記操作パネル２には、操作ボタン３の進退動をガイドするガイド部２０が形成され、
操作パネル２または操作ボタン３のいずれか一方には操作ボタン３の進退方向に弾性変形可能な弾性脚４が形成されるとともに、他方には前記弾性脚４の自由端近傍に開設された嵌合孔４０に遊嵌する突起５が設けられ、
前記弾性脚４の弾性復元力により操作ボタン３を復帰位置へ移動させる記憶装置であって、
前記弾性脚４は突起５の突出方向に弾性変形可能であり、
突起５は操作ボタン３のガイド部２０への押し込みにより弾性脚４を弾性変形させた後、嵌合孔４０に遊嵌可能で、
かつ、前記弾性脚４は、操作パネル２の壁面に形成される記憶装置を提供することにより達成される。
【０００８】
操作ボタン３は操作パネル２に形成されるガイド部２０に沿って進退自在であり、操作ボタン３と操作パネル２のいずれか一方に形成された突起５が他方に形成された嵌合孔４０に遊嵌する。嵌合孔４０は操作ボタン３の進退方向に弾性変形可能な弾性脚４に形成されており、操作ボタン３の押し込み操作に伴って弾性変形し、弾性復元力により操作ボタン３に引込み位置から突出位置への復帰力を与える。
【０００９】
以上の構成の下、例えば操作ボタン３側に形成された弾性脚４を操作パネル２に固定するように、一方を他方に固定することにより操作ボタン３の復帰力を発生させる従来例に対し、一方が他方に遊嵌状態で連結される本発明においては、熱溶着等の固定作業を要しないために、作業性が向上し、さらに、部品取り替え等が容易になる。
【００１０】
ここで、弾性脚４を突起５の突出方向に弾性変形可能とした場合には、操作ボタン３をガイド部２０内に押し込むだけで操作ボタン３の装着が可能となるために、より作業性を向上させることができる。
【００１１】
上記弾性脚４は操作パネル２の壁面に浮島状に形成することが可能であり、このように構成することにより製造が簡単になる。ここで、浮島状とは、例えば図１に示すように、弾性脚４形成領域の周縁部に打ち抜き状の開口４１を形成した状態をいう。
【００１２】
さらに、操作ボタン３は透明材料により形成して導光体として利用することが可能であり、この場合、別途導光部材を設定する必要がなくなるために、部品点数が減少する上に、作業工数の低減も図れる。
【００１３】
操作ボタン３を導光体として利用する場合には、操作ボタン３の押し込み側ストローク終端位置において干渉しない位置で、かつ、操作ボタン３に対峙する位置に発光素子６を配置しておけばよく、操作ボタン３の前面に光散乱面３０を形成しておくことにより、操作ボタン３前面を全体に渡って光らせることができる。光散乱面３０は、表面をシボ面としておくことにより簡単に形成可能である。
【００１４】
【発明の実施の形態】
光ディスク装置として構成された本発明の実施の形態を図１ないし図４に示す。光ディスク装置は装置本体１の前面に操作パネル２を固定して形成され、装置本体１には、図５に示すものとほぼ同様のものが使用される。
【００１５】
操作パネル２は例えば合成樹脂材を射出成型して形成され、正面壁２３に記憶媒体の挿入口２１が開設される。図示しないが、挿入口２１にはシャッタ部材が回動自在に装着され、装置本体１内への塵等の侵入を防止する。また、正面壁２３の上縁からは装置本体１側に天井壁２４が形成されるとともに、側壁部には係止部２５が形成され、係止部２５を弾発的に係止して装置本体１に装着される。
【００１６】
２６は正面壁２３に開設されるボタン挿入口であり、その側縁から後方に向けて筒状のガイド部２０が形成される。ガイド部２０の天井壁を兼ねる操作パネル２の天井壁２４には弾性脚４が形成される。弾性脚４はその周囲に打抜き状の肉抜き開口４１を開設することにより形成され、ガイド部２０の奥行き方向に直交する方向に長い片持梁状に形成される。この弾性脚４の自由端はガイド部２０の幅方向中心位置にほぼ合致するように配置されており、該自由端部に嵌合孔４０が開設される。
【００１７】
３は操作ボタンであり、透明アクリル樹脂等の透明な合成樹脂材により形成され、前面をシボ面とすることにより光散乱面３０が形成される。この操作ボタン３は、ガイド部２０に挿通可能な断面形状を有しており、その天井面に上記弾性脚４の嵌合孔４０に遊嵌可能な突起５が形成される。
【００１８】
一方、装置本体１内に収容される制御基板には図３に示すように、ディスクへのアクセス状態を点滅により表示する発光素子６と、本体内に挿入された媒体を吐き出すために駆動されるイジェクトモータ（図示せず）をオンするイジェクトスイッチ１０が固定される。これらは操作ボタン３に対峙した位置で、かつ、操作ボタン３を後述する押し込み側ストローク終端まで押し込んでも該操作ボタン３と干渉が生じない位置に配置される。また、後述するように、操作パネル２は発光素子６での発光を導光するための導光体としても機能するもので、発光素子６からの受光量を可及的に多くし、かつ、均等に受光できるように、発光素子６と操作ボタン３は発光素子６の放射光の光軸がほぼ中心線に位置するように配置される。さらに、発光素子６を操作ボタン３の中心位置に配置することによりイジェクトスイッチ１０を押圧操作する面積が少なくなるために、操作ボタン３の端部にはスイッチ操作片３１が幅方向外方に延長されて設けられる。
【００１９】
以上のように形成される操作ボタン３を操作パネル２に装着するには、図１（ａ）にて矢印Ａで示すように、操作ボタン３を操作パネル２の裏面側からボタン挿入口２６に押し入れればよい。操作ボタン３の挿入により、まず、突起５は操作パネル２側の弾性脚４に干渉する。この後さらに操作ボタン３を押し込むと、弾性脚４は操作ボタン３の押し込み力により上方への分力を受けて上方に弾性的に撓んで突起５をかわした後、突起５と弾性脚４の嵌合孔４０が合致する位置において原位置に復帰移動し、突起５が嵌合孔４０に係止する。この場合、突起５と弾性脚４との衝接部にラウンド面を形成し、弾性脚４により大きな上方への分力が与えられるように構成することは、弾性脚４の上方への撓みを容易にし作業性を向上するために有効な変形である。
【００２０】
次にディスク装置の動作について説明する。挿入口２１から挿入された記憶媒体へのアクセス等が発生し、発光素子６が発光すると発光素子６からの放射光は透明な操作ボタン３の端部を照射し、操作ボタン３の内部に導かれる。操作ボタン３の前面には光散乱面３０が形成されているために、操作ボタン３内に導光された放射光は操作ボタン３前面を全面に渡って明るくし、利用者にアクセス状態を知らせることができる。
【００２１】
一方、記憶媒体を取り出すために操作ボタン３を押し込むと、押し込み操作力が突起５を介して弾性脚４に伝達される。操作ボタン３の押し込み方向に対して直交方向に長い片持梁状の弾性脚４は容易に弾性変形しながら操作ボタン３の動作に追随し、操作ボタン３の操作感に悪影響を与えない。弾性脚４の過度の撓みによる弾性脚４へのダメージを防止するために、操作ボタン３の押し込み側ストロークは規制されている。この実施の形態において、弾性脚４を形成するために操作パネル２の天井壁２４に開設される開口４１の端面がストローク規制用のストッパとして利用される。このように構成することにより、別途ストローク規制用のストッパを設定するわずらわしさを避けることができる上に、弾性脚４の動作を弾性脚４を形成している基部により規制するために寸法誤差の集積がなく、寸法精度を高めることができる。
【００２２】
操作ボタン３の押し込み操作によって弾性脚４は弾性的に撓んでいるために、操作ボタン３を離すと弾性脚４の弾性復元力により操作ボタン３は原位置に復帰する。操作ボタン３の飛び出し側ストローク終端は操作ボタン３に突設されるストッパボス３２がガイド部２０の終端面２０ａに当接することにより規制される。ストッパボス３２がガイド部２０の終端面に当接した状態で、弾性脚４がわずかに弾性変形している状態に設定すると、操作ボタン３が無負荷状態になることがないために、操作ボタン３のがたつきが防止できる。
【００２３】
【発明の効果】
以上の説明から明らかなように、本発明によれば、操作ボタンを熱溶着等を使用することなく装着することができるために、装着作業性を向上させることができる。
【００２４】
弾性脚を突起の突出方向に弾性変形可能にした場合には、ガイド部への挿入だけで操作ボタンを装着できるので、より装着作業性が向上する。
弾性脚を操作パネルの壁面に浮島状に形成すると、操作パネルの成型時に弾性脚を金型で形成することができるために、製造コストを低減することができる。
【００２５】
操作ボタンを透明材料により形成すると、別途導光部品を要しないために、部品点数を減少させることができる。
操作ボタンの前面には光散乱面を形成することにより、発光素子の発光により全体を均等に明るくすることができる。
【図面の簡単な説明】
【図１】本発明を示す要部分解斜視図で、（ａ）は操作パネルの近傍を示す図，（ｂ）は（ａ）の拡大図である。
【図２】組み立て状態を示す図で、（ａ）は平面図、（ｂ）は正面図である。
【図３】操作ボタンの動作を示す図で、（ａ）は操作ボタンを操作しない状態を示す図、（ｂ）は操作ボタンを押し込んだ状態を示す図である。
【図４】図３の断面図で、（ａ）は図３（ａ）の４Ａ−４Ａ線断面図、（ｂ）は図３（ａ）の４Ｂ−４Ｂ線断面図である。
【図５】従来例を示す図で、（ａ）は全体斜視図、（ｂ）は正面図である。
【図６】図５の断面図で、（ａ）は図５（ｂ）の６Ａ−６Ａ線断面図、（ｂ）は図５（ｂ）の６Ｂ−６Ｂ線断面図である。
【符号の説明】
１        記憶本体
２        操作パネル
２０      ガイド部
３        操作ボタン
３０      光散乱面
４        弾性脚
４０      嵌合孔
５        突起
６        発光素子
【図１】
0003585706.tif 000002
【図２】
0003585706.tif 000003
【図３】
0003585706.tif 000004
【図４】
0003585706.tif 000005
【図５】
0003585706.tif 000006
【図６】
0003585706.tif 000007